(57)【特許請求の範囲】
【請求項１】
室内空間を左右に仕切る間仕切り家具装置であって、
該家具装置は、ロッカー部、棚部、パネル部、及び、床頭台部の家具部からなり、
前記ロッカー部は、左右の一方からのみ開閉可能な扉と収納部とを有し、該収納部の奥行きが家具装置の幅とほぼ等しいロッカーを並列状態に配置し、
前記棚部は、左右の一方からのみ収納可能で奥行きが家具装置の幅とほぼ等しい収納部をそれぞれ１段以上を積層状態に配置し、
前記棚部とロッカー部とが存在しない部分には前記パネル部を配置し、該パネル部の下部に床頭台部を設け、
該床頭台部は左右に前面を向いたテレビと操作部を有する１対の床頭台を配置し、
前記各家具部の底面にはキャスターを取り付けるとともに、少なくとも１つの前記家具部にはキャスターから離れた遠隔操作部を設け、該遠隔操作部によって前記キャスターをロック及びロック解除することを特徴とする間仕切り家具装置。
【請求項２】
前記家具部のうちロッカー部の内部の適所に前記遠隔操作部を配置し、ロッカー部の底面のキャスターは、該遠隔操作部によって該キャスターをロック及びロック解除することを特徴とする請求項１に記載の間仕切り家具装置。
【請求項３】
前記床頭台部の１対の床頭台は、それぞれ単独に家具装置から着脱可能であることを特徴する請求項１又は２に記載の間仕切り家具装置。
【発明の詳細な説明】
【技術分野】
【０００１】
本発明は、病院のベッド等に配置する間仕切り家具装置に関し、さらに詳しくは、左右どちら側からも専用的に使用でき、奥行きのある収納部やテレビ装置に備えた間仕切り家具装置に関するものである。
【背景技術】
【０００２】
従来より、病院の大部屋において、個室並みの良好な空間環境を容易に実現するために、間仕切りが提案されており、例えば、特許文献１には、病院の大部屋において左右で隣り合うベッドの間を床に設置するサイドパネルによって仕切り、各ベッドの頭部側には頭部側パネルを設置して、上方からの平面視で略Ｔ字状の間仕切を形成するものである。
しかし、これらは単にパネルで間仕切りをするだけで、床頭台等の病院家具は別途設置する必要があった。このため、間仕切りと机等の病院家具を組み合わせた装置も提案されており、例えば、特許文献２には、病室の壁に重ねて設置する収納家具と、収納家具の前に設置する仕切装置２とから準個室化を形成し、収納家具に対応した部分は左右から使用可能な共用部と、左右のベッドの使用者のための専用部とから構成し、共用部の開口部にはそれぞれ扉を設けて、プライバシーと事故防止とに配慮した間仕切り兼用の収納家具が開示されている。
なお、複数のキャスターを同時に一括してロック及びロック解除する機構は、特許文献３に示すように、本発明者らによって開示されている。
【先行技術文献】
【特許文献】
【０００３】
【特許文献１】特開２００５−２４０５５号公報
【特許文献２】特開２００６−１７４９５５号公報
【特許文献３】特開２０１０−８８４９０号公報
【発明の概要】
【発明が解決しようとする課題】
【０００４】
ところで、上述した特許文献２に開示される間仕切り兼用の収納家具は、間仕切りであることから収納部に十分な奥行きが確保できず、また、収納部の底面のキャスターのロック及びロック解除もやっかいであった。
また、テレビ等を有する床頭台の機能もないので、別途、床頭台を配置しなければならず、床頭台のカードリーダやテレビ等の頻繁に保守が必要であるのが、これを仕切装置から分離すのもやっかいであった。
【０００５】
本発明は、上述した問題点に鑑みてなされたもので、間仕切り家具装置において、各ベッド側に面する収納部の奥行きを十分にとり、各家具部にキャスターを取り付けて移動を容易にするとともに、キャスターのロック及びロック解除が容易にできる間仕切り家具装置を提供しようとするものである。
また、テレビ等を有する床頭台も一体として機能性を高め、かつ、床頭台は簡単に間仕切り兼用の収納家具から分離できる間仕切り家具装置を提供しようとするものである。
【課題を解決するための手段】
【０００６】
上記課題を解決するために、請求項１の発明は、室内空間を左右に仕切る間仕切り家具装置であって、該家具装置は、ロッカー部、棚部、パネル部、及び、床頭台部の家具部からなり、前記ロッカー部は、左右の一方からのみ開閉可能な扉と収納部とを有し、該収納部の奥行きが家具装置の幅とほぼ等しいロッカーを並列状態に配置し、前記棚部は、左右の一方からのみ収納可能で奥行きが家具装置の幅とほぼ等しい収納部をそれぞれ１段以上を積層状態に配置し、前記棚部とロッカー部とが存在しない部分には前記パネル部を配置し、該パネル部の下部に床頭台部を設け、該床頭台部は左右に前面を向いたテレビと操作部を有する１対の床頭台を配置し、前記各家具部の底面にはキャスターを取り付けるとともに、少なくとも１つの前記家具部にはキャスターから離れた遠隔操作部を設け、該遠隔操作部によって前記キャスターをロック及びロック解除することを特徴とする間仕切り家具装置である。
【０００７】
請求項２の発明は、請求項１に記載の間仕切り家具装置において、前記家具部のうちロッカー部の内部の適所に前記遠隔操作部を配置し、ロッカー部の底面のキャスターは該遠隔操作部によって該キャスターをロック及びロック解除することを特徴とする。
請求項３の発明は、請求項１又は２に記載の間仕切り家具装置において、前記床頭台部の１対の床頭台は、それぞれ単独に間仕切り家具装置から着脱可能であることを特徴する。
【発明の効果】
【０００８】
請求項１の間仕切り家具装置によれば、間仕切り兼用の収納家具において、各ベッド側に面する収納部の奥行きを十分にとることができ、個室並みの良好な空間環境を形成するとともに、各家具部にキャスターを取り付けて移動を容易にするとともに、キャスターのロック及びロック解除の遠隔操作部を家具の適所に配置したので、キャスターのロック操作が簡単に間仕切り家具装置全体を床に対して固定でき、逆に、キャスターのロック解除操作も容易にできる。
請求項２の間仕切り家具装置によれば、上記の効果に加えて、キャスターのロック及びロック解除の操作部をロッカーの内部に配置した遠隔操作部としたので、簡単にキャスターのロック及びロック解除が容易にできるとともに、外部に露出しないので、外観のスッキリしたものとなり、みだりに操作できないので安全性も確保できる。
請求項３の間仕切り家具装置によれば、上述した効果に加えて、左右に前面を向いた互い違いにテレビと操作部を有する１対の床頭台を設けたので、冷蔵庫等を収納可能な奥行きのある収納部とすることができ、また、テレビ等を有する床頭台も一体として機能性を高めたので、別途、床頭台を配置する必要もない。
請求項４は、床頭台は簡単に間仕切り家具装置から分離できるので、床頭台のカードリーダやテレビ等の修理や保守がより容易となる。
【図面の簡単な説明】
【０００９】
【図１】本発明の実施例１の間仕切り家具装置の左右空間の一方の右空間Ｒ側のベッドから見た正面図(表側)、
【図２】図１の左右空間の一方の左空間Ｒ側のベッドから見た正面図(裏側)、
【図３】図１の上方からの平面図、
【図４】図１の底面図、
【図５】実施例１の床頭台を組み立てた状態の間仕切り家具装置の斜視図、
【図６】図５での床頭台を間仕切り家具装置から分離した状態の斜視図、
【図７】テレビの支持ポールをパネル部の平板部に固定するポール押さえ固定具図の拡大斜視図、
【図８】図１のパネル部側の側面図、
【図９】図９(ａ)は棚部側の側面図、図９(ｂ)はその正面中央(図１のA-A線)での断面図、
【図１０】図１０(ａ)は本発明の実施例２の間仕切り家具装置の左右空間の一方の右空間Ｒ側のベッドから見た正面図、図１０(ｂ)は、その床頭台を分離して取り去ったパネル部の部分正面図である。
【発明を実施するための形態】
【００１０】
本発明の間仕切り家具装置の実施例を図面に沿って説明する。
[実施例１]
図１は、病院の大部屋において、個室並みの良好な空間環境を実現するために室内空間を左右に仕切る間仕切り家具装置１(本実施例では、図３での家具装置１の下側を右空間Ｒ、上側を左空間Ｌとする。)であって、間仕切り家具装置１を左右空間の一方の右空間Ｒは、ベッドからみた正面図であり、図２は左空間Ｌのベッドからみた正面図である。図１に示すように、主に、ほぼ中央よりやや左側には病院家具としてのロッカー部２、右側上部にはパネル部３、右側下部には床頭台部４、左側には棚部５が直線上に一体的に組み合わされている。
【００１１】
そして、図１及び図４に示すように、ロッカー部２の底部２１の４隅には大径でロック及びロック解除機構を有するキャスター２２が設けられ、床頭台部４は一対の右向きに床頭台４Ｒと左向きに床頭台４Ｌからなり、その天板部４３の上部にパネル部３が載置され、それぞれの床頭台４Ｒ,Ｌの底部４１の４隅に小径のキャスター４２が設けられ、更に、棚部５の底面５１の４隅にも小径のキャスター５２が設けられている。
図２は、図１の反対側からの正面図であり、図３は上方からの平面図、図４は底面図であり、これらの図から判るように、これのロッカー部２、パネル部３、床頭台部４、及び棚部５は仕切装置を形成するように一直線上に配置され、ボルトと埋め込みナットからなる固定具６で一体的に互いに固定されている。
したがって、間仕切り家具装置１は全体として、これらキャスターにより容易に移動が可能である。
【００１２】
以下、間仕切り家具装置１の各家具部の詳細を説明する。
[ロッカー部２]
図１及び２に示すように、家具の１つであるロッカー部２は、間仕切り家具装置１全体のほぼ中央よりやや左付近に配置され、図３に示すように、家具装置１のロッカー部２自体はその中央部に長手方向に直角に仕切壁２９で２分されて２つのロッカー２Ｒ,２Ｌを形成しており、それぞれのロッカー２Ｒ,２Ｌは、図１の右空間Ｒ側が正面の第１収納部２４Ｒ,左空間Ｌ側が正面の第２収納部２４Ｌを形成している。そして、互いに反対方向に開口するように構成され、この開口にはそれぞれ片開きの扉２５Ｒ,２５Ｌが取り付けられる。例えば、ベッドの右空間側が正面の図１での間仕切り家具装置１では、ロッカー２Ｒの片開きの扉２５Ｒは左側に開き、左側正面で図２でも、ロッカー２Ｌの片開きの扉２５Ｌも左側に開くようになっている。勿論、この使用者が使いやすければ開く側はどちらでもよく、また、観音開き(両開き)扉にしてもよい。
そして、前記第１収納部２４Ｒは、片開きの扉２５Ｒと背面壁２８Ｒと仕切壁２９と側壁２７とで矩形空間を形成し、片開きの扉２５Ｒからの奥行きｘは間仕切り家具装置１の幅とほぼ同じで十分にある。同様に第２収納部２４Ｌは、片開きの扉２５Ｌと背面壁２８Ｌと共通の仕切壁２９と側壁２７とで矩形空間を形成し、片開きの扉２５Ｒからの奥行きｘは間仕切り家具装置１の幅とほぼ同じで十分にある。  
このようにロッカー部２を配置することにより、それぞれ収納部２４の奥行きはほぼ間仕切り家具装置１の幅にまで深くすることができる。したがって、衣装等をハンガーに掛け、収納部２４の天井近傍のポール等に掛ければ通常の衣装ロッカーと同じように使用できる。
【００１３】
また、図５に示すように、前記ロッカー部２の互いに反対側に開口する一方のロッカー、実施例１ではロッカー２Ｒの第１収納部２４Ｒの内壁２６に遠隔操作部７を配置しているが、これはロッカー部２の底部２１の４隅に設けられている大径のキャスター２２(図４も参照)のロック及びロック解除を操作する遠隔操作部７である。
この遠隔操作部７を操作するには、ロッカー２Ｒの扉２５Ｒを右空間側に開き、遠隔操作部７の操作レバー７１で操作して簡単にキャスター２２のロック及びロック解除操作をすることができる。したがって、この遠隔操作部７は扉２５Ｒを開かない限り操作することはできないので安全性も確保できる。また、この遠隔操作部７は外部に露出しないので、外観のスッキリしたものとなる。
なお、この遠隔操作部７の機構は、４個のキャスター２２にワイヤーを連結して一括して操作するもので、本発明者らが開発した前掲の特許文献３に開示されている公知の構成自体を採用すればよいので、キャスターのロック及びロック解除機構の詳細な説明は省略する。また、実施例１ではロッカー部２のキャスター２２だけをロックして床で移動しないようにしたが、実際にはこれだけで充分に間仕切り家具装置１全体が床に対して移動しなくなる。
【００１４】
[パネル部３、及び床頭台部４]
図１、図２に示すように、ロッカー部２の右側（図２では反対側の左側）には幅広のパネル部３が設けられ、病院家具としてのパネル部３の下部には床頭台部４が配置され、床頭台部４は左右それぞれのベッドに前面を向いたテレビ４４、カードリーダの操作部４５２を配置し、冷蔵庫４５６等を収納する互いに反対側を向いた１対の床頭台４Ｒ,４Ｌを配置している。
実施例１では、パネル部３は床頭台４Ｒ,４Ｌの天板部４３の上に載置された状態に構成されているが、後述する実施例２のように、パネル部３も床まで一対の脚部及び４個のキャスターを設け、床頭台部４がなくても自立するようにしてもよい。
【００１５】
(床頭台部４)
本実施例１では、テレビ４４やカードリーダーを備えたカードリーダ操作部４５２を配備した病院家具としての床頭台４Ｒ,４Ｌを、本発明の間仕切り家具装置1と一体とし、それぞれの床頭台４Ｒ,４Ｌの底部４１には４隅に小径のキャスター４２を配備し、上段収納部４５１にカードリーダ操作部４５２、中段収納部４５３に鍵付きの保管庫(図示せず)を収納した引出部４５４、下段収納部４５５に冷蔵庫４５６を収納する冷蔵庫収納部(４５５)を配置して機能性を高めている。
これらを収納するために、図３に示すように、互いに反対向きに前面が配置されるようにし、各床頭台４Ｒ,４Ｌの奥行きを間仕切り家具装置1の幅とほぼ同じとして十分な奥行きを確保している。ただし、床頭台部４の半分は床頭台の４Ｒ,４Ｌの背面が面することとするが、冷蔵庫４５６やカードリーダ操作部４５２に排気のグリル４５７が設けられている。
【００１６】
(パネル部３）
病院家具としてのパネル部３は、下部の間仕切り家具装置1の長手方向に対し狭い横幅ｘと同じ幅の天板部４３と垂直の仕切機能を有する半透明アクリル板のパネル３２とから構成され、パネル３２の周囲には外枠３３がパネル３２を支持するように設けられ、図１では、この外枠３３の左側はロッカー部２の側壁２７に、ボルト及び埋め込みナットからなる固定具６で固定され、パネル３２及び外枠３３の右側は間仕切り家具装置1の高さにほぼ等しくなるような縦板部３４が平板部３１に設けられ、この縦板部３４（図５参照）に外枠３３が固定具６で固定されている。
【００１７】
(組み立て手順)
パネル部３及び床頭台部４の組み立ての手順を、図５乃至図７に沿って説明する。
先ず、図５に示すように、左右の床頭台４Ｒ,４Ｌを互いに前面を反対側にして並べ、その１対の床頭台部４の天板部４３の上にパネル部３の平板部３１を載せる。その際に、テレビ４４の支持ポール４４１を挿入長孔３１２に嵌合させる。
図５において、床頭台４Ｒは床頭台部４の左半分を占め、他は右半分は床頭台４Ｌの背面でとなるので、天板部４３には図３、５に示すように、テレビ４４の支持ポール４４１（図６）を中央ではなく、少し右側からｙの距離に偏在させて固定させている。
パネル部３の平板部３１の下部の底面３１１に床頭台４Ｒ(４Ｌ)を挿入するのは、テレビ４４の支持ポール４４１がパネル部３の下部の平板部３１への出し入れの支障となるので、図６に示すように、支持ポール４４１に対応する平板部３１には挿入長孔３１２(中央から距離ｙだけずらしてある。)が設けられ、床頭台４Ｒおよび支持ポール４４１が間仕切り家具装置1での所定の位置にまで挿入できるようになっている。
【００１８】
テレビ４４が間仕切り家具装置1での所定位置に挿入させると、ポール押さえ固定具４４２でテレビ４４の支持ポール４４１を平板部３１に固定すべく、ボルト４４２１をポール押さえ固定具４４２の貫通孔４４２２を介して、平板部３１の埋め込みナット３１３に挿入螺合して固定する。
このポール押さえ固定具４４２は、図７に示すように、全体としてＵ字型をしており、二股のポール押さえ部４４２３が切り込部４４２４の先端に設けられ、多少弾力を有して支持ポール４４１を固定する。このポール押さえ固定具４４２の底面には下向きに凸部４４２５が設けられ、この下向き凸部４４２５がパネル部３の平板部３１の挿入長孔３１２の空間を埋め、床頭台４Ｒを前面からみると挿入長孔３１２を隠すように機能している。そして、ボルト４４２１をポール押さえ固定具４４２の貫通孔４４２２に挿入して、平板部３１の埋め込みナット３１３に螺合して固定し、ボルト４４２１の上部の貫通孔４４２２にはキャップ４４２６を嵌合して、平板部３１に凸凹がないように平坦にしている。
この結果、図３の図１の平面図、及び図８(点線部は図１のＢ−Ｂでの断面)の図１の右側からの側面図に示すように、左右それぞれの方向に床頭台４Ｒ，４Ｌとそれに据え付けられたテレビが配置されるようになる。
【００１９】
(分離及び合体手順)
この床頭台４に備えたテレビ４４やカードリーダーを備えた操作部４５２が、修理、保守が必要となった場合において、患者等の利用者の目の前で長時間作業をすることのないように、これら床頭台４Ｒ,４Ｌは簡単に 間仕切り家具装置１から分離できるようにする必要がある。
例えば、床頭台４Ｒを修理等で分離する際は、上述した組み立て手順を逆にすればよく、先ず、一対のボルト４４２１のキャップ４４２６を外して、ボルト４４２１をはずした後、ポール押さえ固定具４４２を取り外し、次に、平板部３１上のボルト３１４１を下の床頭台４Ｒの埋め込みナット４３１から抜き取れば、床頭台４Ｒは手前に引き出すことができ、このように、３カ所の螺旋のボルト３１４１、４４２１を抜くだけで、簡単に分離可能となる。
また、修理や保守が済んで、元の状態に合体するには、組み立て手順と同様に、床頭台４Ｒ或いは４Ｌを元の場所に押し込んで、３カ所のボルト３１４１、４４２１を螺合するだけで、簡単に元の状態に組み立てられる。
上記の手順は、間仕切り家具装置１の右側での手前を前面にした床頭台４Ｒについて説明したが、裏側で右側(図２では左側)の床頭台４Ｌでも同じである。
【００２０】
[棚部５]
図１、図２に示すように、ロッカー部２の左側(図２では反対側の右側)には棚部５が設けられている。
この棚部５は、図９(ａ)の左側からの側面図、その棚部５の中央付近(図１のＡ−Ａ線)での断面に示すように、底部５１の４隅にはキャスター５２が設けられ、天板部５３の中央部には左右を仕切る小パネル５４が外枠５５を介して天板部５３及びロッカー部２の側壁２７に固定具６（図１参照）によって固定され、棚部５の一方の側板５９もロッカー部２の側壁２７に固定具６によって固定されている。
この小パネル５４は、棚部５が間仕切り家具装置１の高さにまで延びたものであれば必要がないが、実施例１のように低い場合は間仕切り家具装置１の高さにまで延ばして、左右の仕切機能を有し、天板部５３のスペースには化粧箱等を置くスペースとして利用される。
【００２１】
図９(ｂ)に示すように、棚部５は、左右の一方の開口５Ｒ,５Ｌからのみ収納可能で奥行きが間仕切り家具装置１の幅相当を有する収納部をそれぞれ１段以上を積層状態に配置している。すなわち、上段収納部５６は左側開口の棚であり、中段収納部５７は右側開口の棚であり、下段は左右どちらにも開口し中央に仕切５８１がある小収納部棚５８を設けている。この棚部５とロッカー部２側の(右)側壁２７も、固定具６で固定されている。
【００２２】
[実施例２]
実施例２、前述したように、実施例１の間仕切り家具装置１では、パネル部３は、床頭台部４の一対の床頭台４Ｒか床頭台４Ｌのどちらかが存在しないと宙に浮いてしまい、２台床頭台を同時に分離することができない。
そこで、図１０(ａ)(ｂ)に示すように、パネル部３の平板部３１の長さを若干長くして、両端に床まで間仕切り家具装置の幅とほぼ同じ幅（ｘ)の一対の脚部３８を設け、その脚部３８の下端の底部３８１にはそれぞれ２個のキャスター３９(計４個)を設け、一方の脚部３８(左側脚部)の板とロッカー部２の側壁２７とを固定具６で固定し、床頭台部４自体がなくてもパネル部３が自立するようにした。
【００２３】
なお、この４個のキャスター３９は通常のキャスターを使用してもよいが、ロッカー部２に使用したように、大径のキャスターを使用し、間仕切り家具装置１の平板部３１や隣のロッカー部２等の適所にキャスターの遠隔操作部及びレバーを配置して、遠隔からのキャスターのロック及びロック解除を一括して操作するようにしてもよい。この様に構成することでより間仕切り家具装置１の床に対して移動することがなく、実施例１よりもさらに床に対しての固定が確実となる。
例えば、実施例２では、前記間仕切り家具装置１の適所として、図１０(ｂ)に示すように、ロッカー部２の第２収納部２４Ｌの内壁２６に実施例１と同様の第２遠隔操作部７３(操作レバー）を設け、キャスター３９への操作ワイヤー７５を内壁２６の連通孔７６を介して遠隔操作部７３に連結して、遠隔の遠隔操作部７３からのキャスター３９のロック及びロック解除を一括して操作するようにしている。
実施例２の他の構成は、実施例１と同じであるので、説明は省略する。
【００２４】
[作用]
以上の詳述したように、実施例１及び実施例２の間仕切り家具装置１によれば、間仕切りが収納家具を兼ねているが、各ベッド側に面する収納部の奥行きを十分にとることができ、また、各家具部にキャスターを取り付けて移動を容易にするとともに、キャスターのロック及びロック解除の遠隔操作部を配置したので、ロック操作は簡単に間仕切り家具装置１全体を床に対して固定でき、逆に、キャスターのロック解除操作も容易にできる。
さらに、キャスターのロック及びロック解除の遠隔操作部をロッカーの内部に配置したので、簡単にキャスターのロック及びロック解除が容易にできるとともに、ロッカーの外部に露出しないので、外観のスッキリしたものとなり、みだりに操作できないので安全性も確保できる。
【００２５】
また、左右に前面を向いた互い違いテレビと操作部を有する１対の床頭台を設けたので、冷蔵庫等を収納可能な奥行きのある収納部とすることができ、また、テレビ等を有する床頭台も一体として機能性を高めたので、別途、床頭台を配置する必要もなく、かつ、床頭台は簡単に間仕切り家具装置から分離できるので、床頭台のカードリーダーやテレビ等の修理や保守がより容易となる。
このように、各実施例によれば、奥行きのある収納家具やテレビや冷蔵庫を配備した個室並みの良好な空間環境が形成できる。
なお、本発明の特徴を損なうものでなければ、上記の実施例に限定されるものでないことは勿論である。
【符号の説明】
【００２６】
１・・ 間仕切り家具装置、
２・・ロッカー部、２１・・底部、２２・・キャスター、
２４Ｒ・・第１収納部(右空間正面)、２４Ｌ・・第２収納部(左空間正面)、
２５Ｒ,２５Ｌ・・扉、２６・・内壁、２７・・側壁、
２８Ｒ,２８Ｌ・・背面壁、２９・・仕切壁、
３・・パネル部、３１・・平板部、３１１・・下部の底面、
３１２・・挿入長孔、３１３・・埋め込みナット、３１４・・貫通孔、
３１４１・・ボルト、３２・・パネル、３３・・外枠、３４・・縦板部、
３８・・脚部、３８１・・底部、３９・・キャスター、
４・・床頭台部、４Ｒ,４Ｌ・・床頭台、４１・・底部、
４２・・キャスター、４３・・天板部、４３１・・埋め込みナット、
４４・・テレビ、４４１・・支持ポール、４４２・・ポール押さえ固定具、
４４２１・・ボルト、４４２２・・貫通孔、４４２３・・ポール押さえ部、
４４２４・・切り込部、４４２５・・凸部、４４２６・・キャップ
４５１・・上段収納部、４５２・・カードリーダ操作部、
４５３・・中段収納部、４５４・・引出部、４５５・・下段収納部、
４５６・・冷蔵庫、４５７・・グリル、
５・・棚部、５Ｒ,５Ｌ・・開口、５１・・底部、
５２・・キャスター、５３・・天板部、
５４・・小パネル、５５・・外枠、５６・・上段収納部、５７・・中段収納部、
５８・・小収納棚、５８１・・仕切、５９・・側板
６・・固定具、７・・遠隔操作部 、７１・・操作レバー、７３・・第２遠隔操作部、７５・・操作ワイヤー、７６・・連通孔
【図１】
0005805449.tif 000002
【図２】
0005805449.tif 000003
【図３】
0005805449.tif 000004
【図４】
0005805449.tif 000005
【図５】
0005805449.tif 000006
【図６】
0005805449.tif 000007
【図７】
0005805449.tif 000008
【図８】
0005805449.tif 000009
【図９】
0005805449.tif 000010
【図１０】
0005805449.tif 000011